(57)【要約】【課題】妊産婦の急激な乳房の大きさの変動に柔軟に対応でき、乳房の保持を確実にできる授乳用ブラジャーを提供する。【解決手段】左右のカップ部２０，２１は、上部パッド体１００と下部パッド体１０１と、カップ本体５０，５１の頂部を横切るように縫製して上下に区画された上部ポケット部１６０，１７０と下部ポケット部１６１，１７１とを有する。上部ポケット部１６０，１７０は、カップ本体５０，５１の一部分を縫合し上部パッド体１００を挿入するための第１開口部２００，２１０を設けて構成されている。下部ポケット部１６１，１７１は、カップ本体５０，５１の別の一部分を縫合し、下部パッド体１０１を挿入するための第２開口部２０１，２１１を設けて構成され、上部パッド体１００と下部パッド体１０１は実質的に横長形状で、下部パッド体１０１が上部パッド体１００に比べて上下方向の高さおよび面積が大きく形成されている。【選択図】        図４
2004169208.tif 000002
【特許請求の範囲】
【請求項１】
乳房を覆うための左右のカップ部と、
前記左右のカップ部の外側縁部に取り付けられて背中側で長さが調整可能で着脱自在になっている左右の後ろ身頃部と、
前記左右のカップ部の上方側と前記背中側の前記後ろ身頃部を連結する左右のストラップ部と、を有する授乳用ブラジャーであり、
前記左右のカップ部は、
カップ本体と、前記カップ本体に着脱可能な上部パッド体と下部パッド体で構成されており、
前記カップ本体の頂部を横切るように縫製することで、前記カップ本体は、前記カップ本体の上下に区画された上部ポケット部と下部ポケット部とを有し、
前記上部ポケット部は、前記カップ本体の一部分を縫合して、前記一部分とは逆の位置の前記カップ本体の他の部分に前記上部パッド体を着脱可能とするための第１開口部を設けることで構成されており、
前記下部ポケット部は、前記カップ本体の別の一部分を縫合して、前記別の一部分とは逆の位置の前記カップ本体の別の他の部分に前記下部パッド体を着脱可能とするための第２開口部を設けることで構成され、
前記上部パッド体と前記下部パッド体は、実質的に横長形状を有し、前記下部パッド体が前記上部パッド体に比べて上下方向の高さおよび面積が大きく形成されていることを特徴とする授乳用ブラジャー。
【請求項２】
前記上部ポケット部の前記第１開口部は、前記左右のカップ本体における幅方向の外側領域において上下方向に形成され、前記下部ポケット部の前記第２開口部は、前記左右のカップ本体の前記幅方向の中央領域よりも内側の位置に上下方向に形成されている請求項１に記載の授乳用ブラジャー。
【請求項３】
前記上部パッド体の上辺部と下辺部は、ともに上方に向けて凸状になるような湾曲形状を有している請求項１または請求項２に記載の授乳用ブラジャー。
【請求項４】
前記下部ポケット部は、前記左右のカップ本体における頂部近傍から下方に向かって、第２開口部が形成されており、前記下部パッド体は、前記第２開口部に対応する位置に沿って、脆弱部を有している請求項１または請求項２に記載の授乳用ブラジャー。
【請求項５】
前記下部パッド体の上下方向に関する幅寸法は、前記下部パッド体の中央領域で最も大きく、前記下部パッド体の左右両端側に向かうに従って小さくなっている請求項１または請求項２に記載の授乳用ブラジャー。
【請求項６】
前記左右のカップ部を連結するための前身頃部の中央領域には、上方にくぼんだ凹形状部分を有している請求項１に記載の授乳用ブラジャー。
【発明の詳細な説明】
【０００１】
【発明の属する技術分野】
本発明は、授乳用ブラジャーに関し、特に妊娠、出産そして授乳期における女性の乳房の形状の変化に対応して、乳房を保持することができる授乳用ブラジャーに関するものである。
【０００２】
【従来の技術】
授乳用ブラジャーは、妊娠〜出産〜授乳期において使用される。妊娠〜出産〜授乳期における女性の乳房の形状は大きく変化し、特に急激な変化に伴って、授乳用ブラジャーは段階的にカップ部の大きさを変更する必要がある。
女性の乳房は、妊娠初期（４ヶ月）から９ヶ月乃至１０ヶ月までの間で、胸囲がたとえば６ｃｍ乃至７ｃｍ程度増加することが報告されている。たとえば妊娠初期（４ヶ月）では胸囲の平均値が８２．９２ｃｍであるのに対して、１０ヶ月目では８９．５３ｃｍまで増加する。そして出産後には、１０ヶ月の時点の胸囲の大きさから３ｃｍ程度減少する。このように妊産婦の乳房の大きさは急激に変動する。
従来このような乳房の変化に伴って使用する授乳用ブラジャーとしては、複数のパッドを使用する例がある。（たとえば、特許文献１参照。）。
【０００３】
【特許文献１】
実用新案登録第３０８６３７１号公報（第１頁、図２）
【０００４】
【発明が解決しようとする課題】
ところが、この従来の授乳用ブラジャーでは、乳房におけるバストアップおよびバストセンター寄せ用として使用するためのいわゆる乳房の補正のみを行うようになっているために、妊娠〜出産〜授乳期の乳房の変化に対して柔軟に対応する構造とはなっていない。
そこで本発明は上記課題を解消し、妊産婦の急激な乳房の大きさの変動に対して柔軟に対応することができ、乳房の保持を確実に行うことができる授乳用ブラジャーを提供することを目的としている。
【０００５】
【課題を解決するための手段】
請求項１の発明は、乳房を覆うための左右のカップ部と、前記左右のカップ部の外側縁部に取り付けられて背中側で長さが調整可能で着脱自在になっている左右の後ろ身頃部と、前記左右のカップ部の上方側と前記背中側の前記後ろ身頃部を連結する左右のストラップ部と、を有する授乳用ブラジャーであり、前記左右のカップ部は、カップ本体と、前記カップ本体に着脱可能な上部パッド体と下部パッド体で構成されており、前記カップ本体の頂部を横切るように縫製することで、前記カップ本体は、前記カップ本体の上下に区画された上部ポケット部と下部ポケット部とを有し、前記上部ポケット部は、前記カップ本体の一部分を縫合して、前記一部分とは逆の位置の前記カップ本体の他の部分に前記上部パッド体を着脱可能とするための第１開口部を設けることで構成されており、前記下部ポケット部は、前記カップ本体の別の一部分を縫合して、前記別の一部分とは逆の位置の前記カップ本体の別の他の部分に前記下部パッド体を着脱可能とするための第２開口部を設けることで構成され、前記上部パッド体と前記下部パッド体は、実質的に横長形状を有し、前記下部パッド体が前記上部パッド体に比べて上下方向の高さおよび面積が大きく形成されていることを特徴とする授乳用ブラジャーである。
【０００６】
請求項１では、左右のカップ部は乳房を覆うためのものである。左右の後ろ身頃部は、左右のカップ部の外側縁部に取り付けられて、体型の違いに対応すると共に、妊産婦の乳房の変化に対応できるよう、背中側で長さが調整可能で着脱自在になっている。
左右のストラップ部は、左右のカップ部の上方側と背中側の後ろ身頃部を連結する。
左右のカップ部は、カップ本体と上部パッド体、下部パッド体および上部ポケット部と下部ポケット部を有している。
上部パッド体と下部パッド体はカップ本体に着脱可能なものである。上部ポケット部と下部ポケット部は、カップ本体の頂部を横切るように縫製することでカップ本体において上下にそれぞれ区画されたポケット状とされている。
【０００７】
上部ポケット部は、カップ本体の一部分を縫合して、その一部分とは逆の位置のカップ本体の他の部分に第１開口部を設けることで構成されている。この第１開口部は、上部パッド体を着脱可能にするための開口部である。
下部ポケット部は、カップ本体の別の一部分を縫合して、別の一部分と逆の位置のカップ本体の別の他の部分に第２開口部を設けることで構成されている。この第２開口部は、下部パッド体を着脱可能にするようになっている開口部である。
上部パッド体と下部パッド体は、実質的に横長形状を有している。下部パッド体が上部パッド体に比べて上下方向の高さおよび面積が大きく形成されている。
【０００８】
これにより、使用者の妊娠初期（４ヶ月）から９ヶ月乃至１０ヶ月までと出産後において、使用者（妊産婦）の急激な乳房の大きさの変動に対して柔軟に対応して、乳房を確実に保持および保護することができる。すなわち、上部パッド体と下部パッド体の大きさを適度に選択して使用することで、妊娠初期から授乳後期以降までも使用することができるのである。
【０００９】
上部パッド体は上部ポケット部の第１開口部を用いて出し入れすることで簡単に着脱することができる。同様にして下部パッド体も下部ポケット部の第２開口部を用いて簡単に着脱することができる。
上部パッド体と下部パッド体は実質的に横長形状になっているので、乳房の形状に合わせて、フィットしやすく、上部ポケット部と下部ポケット部への出し入れが容易にでき、上部パッド体は乳房の上部の位置に対応し、下部パッド体は乳房の下部に対応して配置して、乳房を保持する。下部パッド体が上部パッド体に比べて上下方向の高さおよび面積が大きく形成されていることから、下部パッド体は乳房を下部からしっかりと支え、より確実に保持することができる。上部パッド体と下部パッド体の装着を選択して使用することにより、妊産婦の急激な乳房の大きさの変動に対応して乳房を保持することができるとともに乳房の形状の調整を行うことができる。
【００１０】
請求項２の発明は、請求項１に記載の授乳用ブラジャーにおいて、前記上部ポケット部の前記第１開口部は、前記左右のカップ本体における幅方向の外側領域において上下方向に形成され、前記下部ポケット部の前記第２開口部は、前記左右のカップ本体の前記幅方向の中央領域よりも内側の位置に上下方向に形成されている。
【００１１】
請求項２では、上部ポケット部の第１開口部は、左右のカップ本体における幅方向の外側領域において、上下方向に形成されている。下部ポケット部の第２開口部は、左右のカップ本体の幅方向の中央領域よりも内側の位置に上下に沿って形成されている。従って上部パッド体は第１開口部を通じてほぼ水平方向に容易に上部ポケット部の中に出し入れすることができる。同様にして下部パッド体は第２開口部を通じて下部ポケット部に対してほぼ水平方向に容易に出し入れすることができる。
【００１２】
請求項３の発明は、請求項１または請求項２に記載の授乳用ブラジャーにおいて、前記上部パッド体の上辺部と下辺部は、ともに上方に向けて凸状になるような湾曲形状を有している。
【００１３】
請求項３では、上部パッド体の上辺部と下辺部はともに上方に向けて凸状になるような湾曲形状を有している。
これにより、上部パッド体に比べて上下方向の高さの大きい下部パッド体に沿って、上部パッド体を配置することができ、乳房の上側部分と下側部分に沿った立体形状を形成しやすい。
【００１４】
請求項４の発明は、請求項１または請求項２に記載の授乳用ブラジャーにおいて、前記下部ポケット部は、前記左右のカップ本体における頂部近傍から下方に向かって、第２開口部が形成されており、前記下部パッド体は、前記第２開口部に対応する位置に沿って、脆弱部を有している。
【００１５】
請求項４では、下部ポケット部で最も高さが必要となる、頂部近傍に第２開口部が形成されて、下部ポケット部が、左右（内外）に分割されており、下部パッド体は、第２開口部に対応する位置に脆弱部を有している。
これによって、高さを有する下部パッド体の最大高さ部と同じ位置に第２開口部が形成されることで、下部ポケット部への着脱が行いやすい。また、下部ポケット部内における下部パッド体の位置ずれがおこりづらい。
更に、下部パッド体は脆弱部において折りやすい構造になるので、使用者は脆弱部に沿って屈曲させて、下部パッド体を下部ポケット部内に挿入したりあるいは下部ポケット部から取り出すことが容易にできる。しかも脆弱部を備えて屈曲しやすいことにより、下部パッド体は乳房の形に沿って立体形状を形成して維持しやすくなる。
【００１６】
請求項５の発明は、請求項１または請求項２に記載の授乳用ブラジャーにおいて、前記下部パッド体の上下方向に関する幅寸法は、前記下部パッド体の中央領域で最も大きく、前記下部パッド体の左右両端側に向かうに従って小さくなっている。
【００１７】
請求項５では、下部パッド体の上下方向に関する幅寸法が、下部パッド体の中央領域で最も大きく、下部パッド体の左右両端側に向かうに従って小さくなっている。
これにより、下部パッド体は乳房の下部に合わせた立体形状を得ることができる。
【００１８】
請求項６の発明は、請求項１に記載の授乳用ブラジャーにおいて、前記左右のカップ部を連結するための前身頃部の中央領域には、上方にくぼんだ凹形状部分を有している。
【００１９】
請求項６では、左右のカップ部を連結するための前身頃部の中央領域には、上方にくぼんだ凹形状部分を有している。腹部をよけるようにこの凹形状部分を設けていることにより、ブラジャーの着用に伴い、前身頃部の中央領域が妊産婦の腹部を圧迫してしまうことを防ぐ。
【００２０】
【発明の実施の形態】
以下、本発明の好適な実施の形態を添付図面に基づいて詳細に説明する。
なお、以下に述べる実施の形態は、本発明の好適な具体例であるから、技術的に好ましい種々の限定が付されているが、本発明の範囲は、以下の説明において特に本発明を限定する旨の記載がない限り、これらの形態に限られるものではない。
【００２１】
図１は、本発明の授乳用ブラジャーの好ましい実施の形態を示しており、図１では使用者Ｍが授乳用ブラジャー１０を装着した状態の一例を示している。
図２は、図１の授乳用ブラジャー１０の装飾部分の図示を省略しており、授乳用ブラジャー１０の一方のカップ部のカップ本体を取り外して授乳可能とした状態の例を示している。
図３は、図１と図２に示す授乳用ブラジャー１０の表面側を示す展開図であり、図４はこの授乳用ブラジャー１０の裏面側を示す展開図である。
【００２２】
図１と図２に示す授乳用ブラジャー１０は、妊娠、出産乃至授乳期における妊産婦の乳房の形状の変化に対応して乳房を保持しかつ保護しながら、乳房の形状を整えることができるブラジャーである。
妊産婦は図では使用者Ｍと呼ぶ。使用者Ｍの左右の乳房１１，１２は、授乳用ブラジャー１０により保持および保護されるようになっている。
授乳用ブラジャー１０は、マタニティ用ブラジャーとも呼んでいる。この授乳用ブラジャー１０は、右側のカップ部２０と左側のカップ部２１と、右側の後ろ身頃部２４と左側の後ろ身頃部２５と、右側のストラップ部２６と左側のストラップ部２７を有している。
右側のカップ部２０と左側のカップ部２１は、対応する乳首１１Ａ，１１Ｂを含む乳房１１，１２を授乳時にそれぞれ露出可能に覆うためのものである。
【００２３】
図３に示すように、右側の後ろ身頃部２４は、右側のカップ部２０の外側縁部３１側に縫合により取り付けられている。左側の後ろ身頃部２５は、左側のカップ部２１の外側縁部３２に縫合により取り付けられている。
図４に示す右側の後ろ身頃部２４の裏面側の自由端側にはフック２４Ａが設けられている。左側の後ろ身頃部２５の表面側の自由端側には複数のループ２５Ａが設けられている。これらのループ２５Ａが、後ろ身頃部２５の長さ方向に関してたとえば４列程度設けられている。このフック２４Ａが、いずれかの列のループ２５Ａに引っ掛かることにより、右側の後ろ身頃部２４と左側の後ろ身頃部２５は着脱可能に連結することができる。右側の後ろ身頃部２４と左側の後ろ身頃部２５の長さは、使用者（妊産婦ともいう）Ｍの体型や乳房の変化に応じて調整可能になっている。このループ２５Ａとフック２４Ａは、後ろ身頃部の長さ調整部２９を構成している。また、後ろ身頃部２４，２５のカップ部２０，２１側には、上下方向に右側のワイヤー２４Ｂと左側のワイヤー２５Ｂが設けられることで、乳房やその外側の肉が、背中側に逃げてしまうことを防ぎ、乳房の形状を補正した状態に保つ。
【００２４】
図３に示す右側のストラップ部２６は、右側のカップ部２０と右側の後ろ身頃部２４を連結し、カップ部を支え、位置ずれを防ぐための紐状部材である。同様にして左側ストラップ部２７は、左側のカップ部２１と左側の後ろ身頃部２５を連結し、カップ部を支え、位置ずれを防ぐための紐状の部材である。これらの右側のストラップ部２６と左側のストラップ部２７は、肩紐などとも呼んでいる。右側のストラップ部２６の途中には、プラスチック製の長さ調整部材２６Ａを有している。左側のストラップ部２７は、プラスチック製の長さ調整部材２７Ａを有している。これによって、右側のストラップ部２６と左側のストラップ部２７は、それぞれ使用者Ｍの体型に応じて長さの調整を行うことができる。
右側の後ろ身頃部２４と左側の後ろ身頃部２５は、長手方向に伸縮性を有するたとえばサテンネットやストレッチサテン、パワーネット等の伸縮性素材により作られており、縁部に同様の伸縮性を有する片ピコゴム等の平ゴムを縫合している。右側のストラップ部２６と左側のストラップ部２７は、やはり長手方向に伸縮性をある程度有する材質である博多織やニードル等のポリウレタン等の弾性体を含む紐状の織物により作られている。
【００２５】
次に、図１に示す右側のカップ部２０と左側のカップ部２１の構造について説明する。
左右のカップ部２０，２１は、図３に示すように左右のカップ本体５０，５１をそれぞれ備えている。
前身頃部４０は、左右のカップ部２０，２１を連結するための部分である。前身頃部４０の中央領域には、上方にくぼんだ凹形状部分４０Ａが形成されている。この凹形状部分４０Ａが腹部をよけるように上方に湾曲することにより、前身頃部４０が使用者Ｍの腹部へ圧迫力を与えるのを防いでいる。
【００２６】
前身頃部４０の外側縁部３１は、後ろ身頃部２４の端部が縫合して連結されている。同様にして前身頃部４０のもう１つの外側縁部３２は、後ろ身頃部２５が縫合により連結されている。前身頃部４０は、乳房１１，１２の下側を支えるための部材であり、例えば図５の断面図に示すように、表地４０Ｂ、裏地４０Ｃ、およびカップ身生地４０Ｄを有している。カップ身生地４０Ｄは、表地４０Ｂと裏地４０Ｃの間に配置されている。表地４０Ｂは例えばレース等を用いており、裏地４０Ｃの材質としては、妊産婦等の敏感な肌に直接触れるため、吸収性を有しつつ、充分やわらかいものであると共に、後述するようにパッド体１００，１０１の出し入れを行える程度の伸縮性を有するものである必要性があり、綿天竺等を用いている。
【００２７】
後で説明する上部パッド体１００と下部パッド体１０１は、カップ身生地４０Ｄと裏地４０Ｃの間に着脱可能に挿入されるようになっている。
図５に示す裏地４０Ｃの中間部分４０Ｅは、カップ身生地４０Ｄ側に対して縫合されている。図３に示すように前身頃部４０は、カップ本体５０，５１に対応して、ワイヤー部６０，６１を有している。右側のワイヤー部６０は、カップ本体５０の下側に対応するように湾曲状に形成されていて、一方の乳房１１の下側を支えるものである。もう１つのワイヤー部６１は、カップ本体５１の下側に対応するように湾曲状に形成されていて、もう１つの乳房１２の下側を支えるためのものである。ワイヤー部６０，６１は、例えば弾性変形可能なプラスチックにより作られている。
【００２８】
次に、カップ本体５０，５１についてさらに説明する。
カップ本体５０は、右側のカップ部２０側において開閉可能に設けられている。もう１つのカップ本体５１は、左側のカップ部２１において開閉可能に設けられている。
図３に示すカップ本体５０の上縁部５０Ｅは、ストラップ部２６に対して連結部１５０により着脱可能に連結されている。同様にしてカップ本体５１の上縁部５１Ｅは、ストラップ部２７に対して連結部１５１により着脱可能に連結されている。
【００２９】
図４に示すように右側のストラップ部２６の一端部２６Ｇは、後ろ身頃部２４に対して縫合されている。ストラップ部２７の一端部２７Ｇは、後ろ身頃部２５に対して縫合されている。
ストラップ部２６の他端部２６Ｈは、右カップ部２０の内側において下側で縫合されている。同様にしてストラップ部２７の他端部２７Ｈは、左側のカップ部２１の内側において下側で縫合されている。
【００３０】
図４において右側のストラップ部２６の途中部分には、上述した連結部１５０が設けられており、この連結部１５０において連結を外すことにより、図３に示す上縁部５０Ｅが取り外せる。同様にして図４における連結部１５１の連結を外すことにより、図３に示すカップ本体５１の上縁部５１Ｅを取り外せる。このような連結部１５０，１５１の連結解除により、図４に示すストラップ部２６の延長部分２６Ｊとカップ本体５０の上縁部５０Ｅを分離することができ、ストラップ部２７の延長部分２７Ｊとカップ本体５１の上縁部５１Ｅを分離することができる。この延長部分２６Ｊ，２７Ｊは乳首の外側を通るように配置されている。
【００３１】
図２では、連結部１５０を外し、ストラップ部２６からカップ本体５０の上縁部５０Ｅが取り外されて、下側にめくった状態を示している。これによって、乳房１１の乳首１１Ａは、カップ本体５０から露出することができるので、授乳用ブラジャー１０は授乳可能な状態になる。
なお、乳首を露出するために、前身頃部４０に連結具を設け、外側にめくることができる構成としてもよい。
図３に示す右側のカップ部２０は、カップ本体５０と上部パッド体１００と下部パッド体１０１を有している。同様にして左側のカップ部２１は、カップ本体５１と上部パッド体１００と下部パッド体１０１を有している。
両側の上部パッド体１００と下部パッド体１０１は、たとえば表裏をかえることでどちらのカップ本体にも使うことができる。
【００３２】
図４に示すように右側のカップ本体５０は、上部ポケット部１６０と下部ポケット部１６１を有している。左側のカップ本体５１は、上部ポケット部１７０と下部ポケット部１７１を有している。
上部ポケット部１６０と下部ポケット部１６１は、図３と図４に示すように縫合部分１８０により上下に区画されている。同様にしてカップ本体５１の上部ポケット部１７０と下部ポケット部１７１は、縫合部分１８１により上下に区画されて形成されている。
【００３３】
この縫合部分１８０，１８１は、カップ本体５０，５１の頂部１９０，１９１近傍をそれぞれ横切るように縫製することで湾曲状に形成されている。これにより、カップ本体の立体形状を自己形態保持できるようにしている。
従って縫合部分１８０，１８１の上側部分が上部ポケット部１６０，１７０であり、縫合部分１８０，１８１の下側部分が下部ポケット部１６１，１７１になっている。
上部ポケット部１６０，１７０と下部ポケット部１６１，１７１は、裏地４０Ｃを身生地４０Ｄ側に部分的に縫合することで形成されている。
【００３４】
図６は、図４に示す授乳用ブラジャー１０の裏面側をより立体的に示す斜視図である。
図６と図４に示すように、カップ本体５０の上部ポケット部１６０は、縫合部分１８０の上部に位置しており、下部ポケット部１６１は縫合部分１８０の下部に位置している。上部ポケット部１６０は、中央の縫合部分１８０と、上部縫合部分１８５、中央の縫合部分１８０に囲まれて袋状に形成されている。上部ポケット部１６０の一部分１６０Ａは、上部縫合部分１８５と中央の縫合部分１８０により閉じられているが、上部ポケット部１６０の他の部分には第１開口部２００が設けられている。
【００３５】
同様にして下部ポケット部１６１は、中央の縫合部分１８０と下部縫合部分１８６により囲まれて袋状に形成されている。下部ポケット部１６１は、その中央領域よりもやや内側の位置に第２開口部２０１が形成されており、内側ポケット１６１Ａと外側ポケット１６１Ｂで構成される。
第１開口部２００は後ろ身頃部２４側寄りに形成されているのに対して、第２開口部２０１は前身頃部４０の中央領域側寄りで、頂部１９０から下方に向かってに形成されている。第１開口部２００と第２開口部２０１は、ほぼ授乳用ブラジャー１０の上下方向に沿って形成された切れ目である。
【００３６】
図６におけるもう１つのカップ本体５１においても、中央の縫合部分１８１を中心として上部ポケット部１７０が設けられており、下側には下部ポケット部１７１が設けられている。上部ポケット部１７０は縫合部分１８１と上部縫合部分１９５により囲まれて袋状に形成されている。下部ポケット部１７１は中央の縫合部分１８１と下部縫合部分１９６により囲まれるようにして袋状に形成されている。
上部ポケット部１７０は、一方の部分が縫合部分１９５，１８１により縫合して閉じられている。この上部ポケット部１７０は、他の部分において第１開口部２１０を有している。下部ポケット部１７１は、中央より内側の位置、すなわち前身頃部４０側寄りの位置で頂部１９１から下方に向かって第２開口部２１１を有しており、内側ポケット１７１Ａと外側ポケット１７１Ｂが形成される。
下部ポケット部１７１の一方の部分は縫合部分１８１，１９６により縫合されている。
【００３７】
第１開口部２１０と第２開口部２１１は、ほぼ上下方向に沿って形成されている。
第２開口部２０１，２１１の内側ポケット１６１Ａ，１７１Ａと外側ポケット１６１Ｂと１７１Ｂの対向する端部は、それぞれ重ね合わせる部分があってもよいし、無くてもよい。
図６に示すカップ本体５０，５１は、それぞれ図３に示すワイヤー部６０，６１によりその形状が崩れないようにし、しかも対応する乳房１１，１２の下側をバストアップするように支える。図６に示す縫合部分１８０，１８１は、それぞれカップ本体５０，５１の自己形態保持性能を持たせるために縫合されており、それぞれ図３に示す頂部１９０，１９１を通る位置に形成されている。
【００３８】
次に、上部ポケット部１６０，１７０および下部ポケット部１６１，１７１に対して、上部パッド体１００と下部パッド体１０１を着脱する様子について説明する。
図４に示す上部パッド体１００は、上部ポケット部１６０の第１開口部２００を通じて上部ポケット部１６０の内部に着脱可能に挿入して保持することができる。下部パッド体１０１は、下部ポケット部１６１の第２開口部２０１を通じて下部ポケット部１６１の内部に着脱可能に挿入して保持することができる。
もう１つの上部パッド体１００は、上部ポケット部１７０の第１開口部２１０を通じて上部ポケット部１７０の内部に着脱可能に挿入して保持することができる。もう１つの下部パッド体１０１は、下部ポケット部１７１の第２開口部２１１を通じて下部ポケット部１７１の内部に着脱可能に挿入して保持することができる。
【００３９】
図３と図６は、破線で示すように上部パッド体１００と下部パッド体１０１がそれぞれカップ本体５０，５１に挿入された状態を示している。図５に示すように上部パッド体１００，１００は、それぞれ対応する乳房の上部部分に対応して配置される。カップ本体５０，５１の下部パッド体１０１は、対応する乳房の下部に対応して配置される。
【００４０】
上部パッド体１００と下部パッド体１０１は、各種のサイズを適宜用意しておいてもよい。
図４に示す上部パッド体１００と下部パッド体１０１の例では、上辺部および下辺部ともにそれぞれ凸状態になった形状を有している。下部パッド体１０１の中間部分で、最大高さの部分近傍には脆弱部３００が上下方向Ｚに沿って形成されている。図７は、上部パッド体１００と下部パッド体１０１の形状例をより拡大して示している。図７（Ａ）は上部パッド体１００を示しており、図７（Ｂ）は下部パッド体１０１の形状例を示している。図７（Ｃ）は、図７（Ｂ）の下部パッド体１０１のＡ−Ａ線における断面構造例を示している。
脆弱部３００は、例えば縫製により厚みを薄くした部分であり、強度的には他の部分に比べて弱くしてある。この脆弱部３００の位置は、図４に示す対応する第２開口部２０１，２１１の近傍に位置している。この脆弱部３００が第２開口部２０１，２１１にそれぞれ対応する位置に形成することで、次のようなメリットがある。
【００４１】
使用者が、下部パッド体１０１をそれぞれ図４に示す第２開口部２０１，２１１を通じて下部ポケット部１６１，１７１に挿入する場合には、この脆弱部３００の存在を利用して下部パッド体１０１を脆弱部３００の部分で折り曲げることにより、第２開口部２０１，２１１を通じて下部ポケット部１６１，１７１にそれぞれ比較的容易に挿入することができる。つまり、脆弱部３００を中心に、内側ポケット１６１Ａ，１７１Ａ側には図において「内」と示した側の下部パッド体１０１を挿入し、外側ポケット１６１Ｂ，１７１Ｂには、下部パッド体１０１における脆弱部よりも「外」側を挿入することとなり、特に脆弱部が下部パッド体１０１の最大高さＨ近傍に設けられることで挿入しやすい。
また下部パッド体１０１を取り出す場合には、この脆弱部３００が変形しやすいことを利用して、使用者が指で脆弱部３００付近を持って第２開口部２０１，２１１から簡単に取り出すことができる。
また脆弱部３００を設けることにより、下部パッド体１０１が、下部ポケット部１６１，１７１に挿入された状態で乳房の形状に応じて変形することで立体形状を形成して維持し易いというメリットもある。
【００４２】
図７に示すように下部パッド体１０１は上部パッド体１００に比べてその上下方向の高さおよび面積が大きくなっている。
図７（Ｂ）に示す下部パッド体１０１の上下方向の高さＨは、図７（Ａ）に示す上部パッド体１００の上下方向の高さｈに比べて１．５倍から３倍程度に大きく設定されているとともに、下部パッド体１０１の面積は上部パッド体１００の面積に比べてかなり大きくなっている。
このようにすることで、妊産婦の乳房の下部は比較的面積および高さの大きい下部パッド体１０１により保持および保護することができ、下側から乳房を支える。上部パッド体１００と下部パッド体１０１は、実質的に横長形状になっており、中央部が最も幅が大きく両端部に行くに従って細くなっている。
【００４３】
この大きな面積を有する下部パッド体１０１は、より大きな開口面積を有する第２開口部２０１，２１１により出し入れできるが、この第２開口部２０１，２１１は、既に述べたように下部ポケット部１６１，１７１のほぼ中央部であってやや内側寄りで、頂部１９０，１９１から下方に向けて形成されていることから、下部パッド体１０１の出し入れが容易になるばかりでなく、下部パッド体１０１の不正確な装着に伴う位置ズレを防ぎ、下部パッド体１０１が下部ポケット部から抜け出すのを防止することができる。
第２開口部２０１，２１１の形成位置は、ストラップ部２６，２７の延長部分２６Ｊ，２７Ｊよりも内側にあるので、延長部分２６Ｊ，２７Ｊは下部パッド体１０１の出し入れに邪魔にならない。
【００４４】
比較的細長い上部パッド体１００を着脱するための第１開口部２００，２１０は、各カップ本体の比較的外側の位置に設けているので、刺激を受けやすい乳首付近を刺激しないだけではなく、比較的細長い上部パッド体１００の出し入れが容易になる。第１開口部２００，２１０は、対応する位置のストラップ部２６，２７の延長部分２６Ｊと２７Ｊの外側位置、すなわち後ろ身頃部２４，２５寄り側に位置しているので、延長部分２６Ｊと２７Ｊが上部パッド体１００の出し入れに邪魔にならないというメリットもある。
【００４５】
次に上部パッド体１００と下部パッド体１０１の位置が、使用者の妊娠〜出産〜授乳期においての乳房の変化に伴って使用される組み合わせ例について説明する。
妊娠初期（４ヶ月）から９ヶ月乃至１０ヶ月まででは、上述したように胸囲が６乃至７ｃｍ程度増加し、さらに出産後には３ｃｍ程度の減少があると言われている。つまり使用者は、妊産婦の急激な乳房の変動に対応して上部パッド体１００と下部パッド体１０１の使用形態を変えることができる。
【００４６】
上部パッド体１００と下部パッド体１０１の基本的な使用例について説明する。
（１）妊娠初期乃至妊娠中期では、上部パッド体と下部パッド体を両方使用する。
（２）妊娠中期以降では、上部パッド体は外して、下部パッド体のみ使用する。
（３）妊娠後期から授乳期にかけては、乳房が大きいので上部パッド体１００と下部パッド体１０１の両方とも外す。
（４）授乳中期以降では、上部パッド体１００は外したままで、下部パッド体１０１のみを使用する。
（５）授乳後期以降では、乳房が小さくなるので上部パッド体１００と下部パッド体１０１の両方を使用する。
このように、使用者の急激な乳房の変化に伴って、妊娠、出産乃至授乳期における女性の乳房形状を補うようにして、使用者の選択によって、乳房の保持および乳房の保護ならびに乳房形状の補正を行うことができるのである。
【００４７】
図８は、上部パッド体１００と下部パッド体１０１の別の実施の形態を示している。
図８（Ａ）に示す上部パッド体１００では、上辺部１００Ｐと下辺部１００Ｑはそれぞれ上方Ｚ位置に向けて凸形状になるような湾曲形状を有している。つまり下辺部１００Ｑは、上辺部Ｐ側にへこんだ形状になっている。
これに対して下部パッド体１０１は、上部パッド体１００に比べてかなり大きな中央部分の上下方向に関する幅を有しており、面積もかなり大きいものになっている。上部パッド体１００の上辺部および下辺部ともに上方に向けて凸状になるように湾曲形状になっていると、上部パッド体１００は、中央位置の高さの高い下部パッド体１０１に沿って立体形状を形成しやすいというメリットがある。
下部パッド体１０１における上下方向に関する高さもしくは幅が中央領域において最も大きく、両端部に向ってそれぞれ小さくなる形状になっていると、下部パッド体１０１は乳房に合わせた立体形状を得やすくなる。
なお、本発明は、上述の各実施の形態に限定されない。さらに、上述の実施の形態は相互に組み合わせて構成してもよい。左右のストラップ部２６，２７を着脱可能としてもよく、上下のポケット部に上下のパッド体を挟んで固定してもよい。
【００４８】
【発明の効果】
以上説明したように、本発明によれば、妊産婦の急激な乳房の大きさの変動に対して柔軟に対応することができ、乳房の保持を確実に行うことができる。
【図面の簡単な説明】
【図１】本発明の授乳用ブラジャーの好ましい実施の形態を使用者が装着している例を示す図。
【図２】図１の授乳用ブラジャーの装着部分の図示を省略し、一方のカップ本体を外した授乳可能な状態を示す図。
【図３】授乳用ブラジャーの表面側を示す展開図。
【図４】授乳用ブラジャーの裏面側および上部パッド体と下部パッド体を示す図。
【図５】左右のカップ部の断面構造例を示す図。
【図６】授乳用ブラジャーの裏面側を示す斜視図。
【図７】上部パッド体と下部パッド体の形状例を示す図。
【図８】上部パッド体と下部パッド体の別の形状例を示す図。
【符号の説明】
１０・・・授乳用ブラジャー、２０，２１・・・左右のカップ部、２４，２５・・・左右の後ろ身頃部、２６，２７・・・左右のストラップ部、４０・・・前身頃部、５０，５１・・・左右のカップ本体、１００・・・上部パッド体、１０１・・・下部パッド体、１６０，１７０・・・上部ポケット部、１６１，１７１・・・下部ポケット部、１８０，１８１・・・中央の縫合部分、２００，２１０・・・第１開口部、２０１，２１１・・・第２開口部
【図１】
2004169208.tif 000003
【図２】
2004169208.tif 000004
【図３】
2004169208.tif 000005
【図４】
2004169208.tif 000006
【図５】
2004169208.tif 000007
【図６】
2004169208.tif 000008
【図７】
2004169208.tif 000009
【図８】
2004169208.tif 000010